(57)【特許請求の範囲】
【請求項１】
紙管に帯状のキッチンペーパーが巻き付けられてロール状とされているキッチンペーパー製品であって、
その紙管に廃油硬化剤が担持されていることを特徴とするキッチンペーパー製品。
【請求項２】
紙管の筒内面又は筒外面に廃油硬化剤が担持されている請求項１記載のキッチンペーパー製品
【請求項３】
紙管外面と前記キッチンペーパーの巻き開始端部とを接着する接着剤に廃油硬化剤が含まれている請求項１記載のキッチンペーパー製品。
【請求項４】
紙管は、筒内面側を構成する帯状の内面紙管原紙と筒外面を構成する帯状の外面紙管原紙とを有し、これらの紙管原紙が螺旋状に巻回して形成されており、それら紙管原紙の少なくとも一方の表面に廃油硬化剤が担持されている請求項１記載のキッチンペーパー製品。
【請求項５】
前記紙管は、内面側を構成する帯状の内面紙管原紙と外面を構成する帯状の外面紙管原紙とを有し、これらの紙管原紙が螺旋状に巻回して形成されており、その内面紙管原紙と外面紙管原紙との間に廃油硬化剤が担持されている請求項１記載のキッチンペーパー製品。
【請求項６】
前記内面紙管原紙と外面紙管原紙とが巻回方向に沿って間隔を開けて線状に配された接着剤により接着され、その接着剤間に廃油硬化剤が担持されている請求項５記載のキッチンペーパー製品。
【請求項７】
紙管外面と前記キッチンペーパーの巻き開始端部とを接着する接着剤が紙管幅方向に間欠的に付与され、その間欠的に付与された接着剤間に廃油硬化剤が位置されている請求項１記載のキッチンペーパー製品。
【発明の詳細な説明】
【技術分野】
【０００１】
本発明は、紙管に帯状のキッチンペーパーが巻き付けられてロール状とされているキッチンペーパー製品に関する。
【背景技術】
【０００２】
紙管にキッチンペーパーを巻き付けてロール状としたキッチンペーパー製品はよく知られる。かかるキッチンペーパーは、衛生的であり、台所周りの拭き掃除、調理器具の拭取りなどの清掃用途、食品の包装、煮物の落とし蓋、鮮魚等のドリップ吸収材、水きり、油漉し、揚げ物の過剰油分の吸収等の食材に直接触れる用途に用いられるなど、キッチン周辺における種々の用途に用いられている。そして、その利便性の高さから需要が増加している。
他方、上記種々の用途のなかでも、清掃用途、水切り用途等は、織布によるフキンなどキッチンペーパー以外のシートが使用されることも多々あるが、揚げ物の過剰油分の吸収用途、油こしについては、ほとんどの場合でキッチンペーパーが使用され、かかる用途における使用頻度は他の用途と比較して極めて高い。
ところで、従来のキッチンペーパー製品は、紙管に巻かれたキッチンペーパーのすべてを使い切った後に残る紙管に、家庭内における利用価値がなく、単に廃棄処分されている。上述のとおり、キッチンペーパー製品の需要が増加していることから、無駄に廃棄される紙管も増加しており、かかる事情を考慮すると、家庭内で廃棄される紙管に利用価値を見いだすことが望まれる。
【先行技術文献】
【特許文献】
【０００３】
【特許文献１】特昭５５−１０６２９８
【特許文献２】特開平０５−３０６３８８
【特許文献３】特開０７−１０８１７０
【特許文献４】特開平０８−２６８５０２
【発明の概要】
【発明が解決しようとする課題】
【０００４】
そこで、本発明の主たる課題は、これまでキッチンペーパーを使用し終えた後に、単に廃棄処分されるだけとなっていた紙管を、天ぷら油などの揚げ物をした後の油を硬化させて生ゴミ等の一般廃棄物としての処理を可能にする廃油硬化剤として有効利用することができるキッチンペーパー製品を提供することにある。
【課題を解決するための手段】
【０００５】
上記課題を解決した本発明及び作用効果は次記のとおりである。
〔請求項１記載の発明〕
紙管に帯状のキッチンペーパーが巻き付けられてロール状とされているキッチンペーパー製品であって、
その紙管に廃油硬化剤が担持されていることを特徴とするキッチンペーパー製品。
【０００６】
〔請求項２記載の発明〕
紙管の筒内面又は筒外面に廃油硬化剤が担持されている請求項１記載のキッチンペーパー製品
【０００７】
〔請求項３記載の発明〕
紙管外面と前記キッチンペーパーの巻き開始端部とを接着する接着剤に廃油硬化剤が含まれている請求項１記載のキッチンペーパー製品。
【０００８】
〔請求項４記載の発明〕
紙管は、筒内面側を構成する帯状の内面紙管原紙と筒外面を構成する帯状の外面紙管原紙とを有し、これらの紙管原紙が螺旋状に巻回して形成されており、それら紙管原紙の少なくとも一方の表面に廃油硬化剤が担持されている請求項１記載のキッチンペーパー製品。
【０００９】
〔請求項５記載の発明〕
前記紙管は、内面側を構成する帯状の内面紙管原紙と外面を構成する帯状の外面紙管原紙とを有し、これらの紙管原紙が螺旋状に巻回して形成されており、その内面紙管原紙と外面紙管原紙との間に廃油硬化剤が担持されている請求項１記載のキッチンペーパー製品。
【００１０】
〔請求項６記載の発明〕
前記内面紙管原紙と外面紙管原紙とが巻回方向に沿って間隔を開けて線状に配された接着剤により接着され、その接着剤間に廃油硬化剤が担持されている請求項５記載のキッチンペーパー製品。
【００１１】
〔請求項７記載の発明〕
紙管外面と前記キッチンペーパーの巻き開始端部とを接着する接着剤が紙管幅方向に間欠的に付与され、その間欠的に付与された接着剤間に廃油硬化剤が位置されている請求項１記載のキッチンペーパー製品。
【発明の効果】
【００１２】
以上のとおり本発明によれば、キッチンペーパーを使用し終えた後に、単に廃棄処分されるだけとなっていた紙管を有効利用することができるキッチンペーパー製品が提供される。
【図面の簡単な説明】
【００１３】
【図１】本発明のキッチンペーパー製品の斜視図である。
【図２】本発明に係る紙管を説明するための図である。
【図３】本発明にかかる紙管の製造方法例を示す図である。
【図４】本発明にかかるキッチンペーパーの製造例を説明するための図である。
【図５】本発明にかかる紙管への廃油硬化剤の担持形態を示す図である。
【図６】本発明にかかる紙管への廃油硬化剤の担持形態の他の例を示す図である。
【図７】本発明にかかる紙管への廃油硬化剤の担持形態の別の例を示す図である（図中（Ｄ）は（Ｄ）−（Ｄ）断面の拡大である）。
【図８】本発明にかかる紙管への廃油硬化剤のさらに別の担持形態を示す図である。
【発明を実施するための形態】
【００１４】
次いで、本発明の実施の形態について、図面を参照しながら以下に詳述する。
＜キッチンペーパー製品の構造等＞
本実施形態のキッチンペーパー製品Ｘ１は、筒状の紙管１にこれと同幅の帯状のキッチンペーパー２が巻き付けられている。
本発明にかかるキッチンペーパー製品Ｘ１においては、キッチンペーパー自体は特に限定されるものではなく、従来公知のものとすることができる。例えば、クレープ紙を積層したもの、不織布からなるもの、クレープ紙と不織布を積層したもの、いずれの形態でもよい。また、キッチンペーパー２にはエンボスが施されていてもよいし、施されていなくてもよい。
【００１５】
他方、紙管１の外形は、この種のキッチンペーパー製品に用いられている既知の大きさとすることができる。具体的数値を例示すれば、外径Ｌ１は３０〜５０ｍｍ、幅Ｌ２は１００〜３００ｍｍ程度である。
【００１６】
また、紙管１に対するキッチンペーパー２の巻長さは８〜２５ｍが一般的であり、本発明の製品Ｘ１もこの範囲とすることができる。キッチンペーパー製品Ｘ１の外径は、キッチン周りでの使用時に作業の邪魔にならず、また、商品としての輸送性を考慮すると９０〜１３０ｍｍとするのがよい。これは、巻き硬さ（巻き密度）を調整することで調整可能である。
【００１７】
他方、紙管１に巻かれるキッチンペーパー２には、長手方向に適宜の間隔で裁断用のミシン目線２１が設けられていてもよく、この場合、ミシン目線２１の間隔Ｌ３は、４８〜３００ｍｍ程度とするのがよい。４８ｍｍ未満であると、実使用には小さすぎることとなり、３００ｍｍを超えると食器などと比べて大きくなることから使い勝手が゛悪くなる。
【００１８】
＜紙管の基本構造及び製造例＞
本発明の紙管の基本構造は特に限定されず、紙製の筒状であればよい。従来の基本構造のものが用いられる。キッチンペーパー製品、トイレットロール等のロール状の衛生薄葉紙製品に広く用いられている紙管の具体的な基本構造は、図２及び図３に示すように、筒内面側を構成する帯状の内面紙管原紙１１と筒外面を構成する帯状の外面紙管原紙１２とからなり、これらの紙管原紙１１，１２が螺旋状に巻回されて形成されたものである。
【００１９】
この基本構造の紙管１は、図からも理解されるように、内面紙管原紙１１と外面紙管原紙１２とが積層されており、それらは層間の接着剤１３を介して接着された構造となっている。
【００２０】
この構造の紙管１の製造例についても説明すると、図３及び４に示すように、まず、二枚の帯状の紙管原紙（板紙）１１，１２を原反ロール１１Ａ，１２Ａからそれぞれ繰り出す。次に筒内面を構成する紙管原紙１１の積層内面（筒外面を構成する紙管原紙と対向される面）に接着剤を糊付けロール等の接着剤付与手段３０により付与する。次に、当該糊付けされた面と筒外面を構成する紙管原紙１２の一部を重ねた状態にする。このとき各原紙１１，１２の延在方向（巻きだし方向）は一致するようにする。次に、その一部重ねた状態の各原紙をともにコアワインダー４０によってシャフト４１に螺旋状に巻付ける。その後に生産品種に合わせた規定長さにスリッター４２にて切り揃える。これにより円筒の長尺の紙管１Ａが形成される。この長尺の紙管１Ａにキッチンペーパーを巻き付けた後、或いは巻き付ける前に裁断して所定長さの紙管１とする。
【００２１】
ここで、各紙管原紙１１，１２は、各々違う原反を使用してもよく、例えば、一方に印刷を施したり、各々の米坪を変えたりしてもよい。本発明においても、必ずしも紙管原紙１１，１２は、同様のものである必要はない。廃油硬化剤の担持を考慮して定義選定することができる。
【００２２】
なお、紙管の原料は、古紙パルプも採用できるが、古紙パルプ中の微量成分が食材である油に与える影響が否定できないことを考慮すれば、バージンパルプ１００％のほうが望ましい。合成繊維を使用してもよいが廃油処理に用いられることを考慮すれば２００〜２５０℃以上の融点を有するものとする。
【００２３】
また、紙管原紙の具体的な坪量は１００〜２００ｇ／ｍ2、厚さは０．２〜１．０ｍｍとするのが望ましい。紙管を使用する廃油処理の際に変形、裁断しやすく使用感にすぐれるものとなる。
【００２４】
＜廃油硬化剤の紙管への担持形態例＞
本発明のキッチンペーパー製品Ｘ１においては、特徴的に、紙管１に廃油硬化剤が担持されている。本発明における廃油硬化剤は、天ぷら油などの揚げ物をした後の油を硬化させて生ゴミ等の一般廃棄物としての処理を可能にするための薬剤のことを意味する。また、担持とは紙管１に付いてさえいれていればよいことを意味する。
【００２５】
廃油硬化剤の具体的な含有量に関しては、上述の紙管の大きさであれば、５〜２０ｇ／本がよい。この範囲であれば、紙管１本で家庭で一回に使用される０．１５〜０．６０Ｌの廃油を硬化させることができる。
【００２６】
紙管１への担持の方法は、限定されない。粉末、チップ状などの固体形状、液状、ゲル状とした廃油硬化剤をバインダー等の接着剤を介して紙管１に塗工してもよいし、紙管１に含浸等させたのち乾燥させてもよい。紙管１を形成する繊維間に散在させるなど紙料に内添して担持させてもよい。
【００２７】
図５に示すように、紙管１に対してキッチンペーパー２の巻取り開始端部を接着せしめるための接着剤１５中に含有せしめることで紙管１に担持させることもできる。なお、紙管１の外面とキッチンペーパー２の巻き開始端部とを接着する接着剤１３が、紙管の幅方向に間隔を開けて点線状に配されているがこれに限定はされない。
【００２８】
また、図８に示すように、紙管外面とキッチンペーパーの巻き開始端部とを接着する接着剤を、紙管幅方向に間欠的にかつ紙管の周方向に連続的に環状に付与されている態様とし、その間欠的に付与された接着剤間に廃油硬化剤が位置されている形態とすることができる。図示例では、廃油硬化剤も紙管の周方向に連続的に付与している。なお、接着剤及び廃油硬化剤は、紙管周方向にも間欠的に塗布されていてもよい。
【００２９】
本発明における紙管１への廃油硬化剤の担持位置は、紙管１の筒外面に担持させてもよいし、筒内面に担持させてもよい。この場合、面の全面に塗布等して担持させてもよいし、散点状、網目状など適宜の模様を描くように塗工、印刷等して担持させてもよい。
【００３０】
上述の帯状の二枚の紙管原紙１１，１２を一部重ねつつ螺旋状に巻取った構造であれば、筒内面又は筒外面の少なくとも一方にスパイラル状に担持させてもよい（図６には、筒外面にスパイラル状に担持した形態を図示する）。特に、好適には、図７に示すように、上述のとおり帯状の二枚の紙管原紙１１，１２を一部重ねつつ螺旋状に巻取った形態である場合において、その筒内面を構成する紙管原紙１１と筒外面を構成する紙管原紙１２の層間位置に担持させるのがよい。このようにするとキッチンペーパー２が廃油硬化剤に接触することがなく衛生的である。この場合、好ましくは図示のとおり、筒内面の紙管原紙１１と筒外面の紙管原紙１２とを接着させる紙管接着剤１３と廃油硬化剤１４とが交互に線状に両紙管原紙１１，１２の螺旋巻き方向に沿って配されているのがよい。この担持の態様であると層間に位置せしめるという衛生面等の利点を有しつつさらに、紙管原紙１１，１２同士の接着が確実であるとともに紙管接着剤１３によって廃油硬化剤１４の機能が阻害されることがなくまた、多くの廃油硬化剤１４を担持させることが可能である。また、係る構造の紙管では上述の製造方法を採ることから、紙管接着剤を塗布する際に同時に廃油硬化剤１４を付与でき、既知の製造設備を利用できるという点からもこの態様は望ましい。
【００３１】
また、紙管１に対する廃油硬化剤の担持の方法は特に限定されないが、キッチンペーパー製品Ｘ１の性質状、紙管原紙１１と紙管原紙１２、あるいは紙管１とキッチンペーパー２の巻取り開始端部が、簡易には剥離しない程度にしっかりと担持されていることが必要である。
【００３２】
＜廃油硬化剤＞
本発明にかかる廃油硬化剤は、限定されないが、１２−ヒドロキシステアリン酸、カルボン酸金属塩、高級脂肪酸、高分子ゲル化剤、ポリアクリル酸エステル、アミノ酸エステルが挙げられる。これらのなかから１種又は２種以上を選択することができる。但し、紙管との接着性が良好なことから、好ましくは、１２−ヒドロキシステアリン酸である。
【００３３】
＜キッチンペーパー製品の製造方法例＞
次に本発明のロールペーパー製品Ｘ１の製造方法例を図４を示しながら説明する。
本発明のキッチンペーパー製品Ｘ１の製造方法は、紙管１を製造する工程（Ａ）と、ログ製造工程（Ｂ）と裁断工程（Ｃ）を有する。
【００３４】
紙管１を製造する工程（図８中（４））は、二枚の帯状の紙管原紙（板紙）１１，１２を原反ロール１１Ａ，１２Ａからそれぞれ繰り出しつつ、所定位置の糊付けロール３０により糊を付与し、当該糊付けされた部分を重ねつつコアワインダー４０によりシャフト４１に螺旋状に巻付け、生産品種に合わせた規定長さにスリッター４２にて切り揃えることで、円筒の長尺の紙管１０を形成する。かくして形成されるこの長尺の紙管は、一方の紙管原紙が筒内面を構成し、他方の紙管原紙が筒外面を構成し、各紙管原紙がそれらの層間において接着されたものである。
【００３５】
本発明においては、紙管原紙に廃油硬化剤が担持されているが、廃油硬化剤の担持は、この紙管製造工程において行なうことができる。筒内面を構成する紙管原紙と筒外面を構成する紙管原紙の層間に担持させる形態であれば、各紙管原紙の糊付けと同時にあるいは糊と混合して廃油硬化剤を紙管原紙に付与すればよい。これについては、一列に配列した複数のノズル孔から糊付けと廃油硬化剤とが交互に吐出されるようにして、紙管原紙に接着糊と廃油硬化剤を付与してもよいし、印刷等のロール塗工によっても行なうことができる。廃油硬化剤の紙管への担持は、この紙管製造工程において行なわれるに限定されず、予め紙管原紙に付与しておいてもよい。
【００３６】
他方、上記長尺紙管１Ａの製造と平行して又はその後においては、ログ製造工程（図２中（Ｂ）にて、ログ５０を製造する。なお、ログ５０とは、業界においての一般用語であり、最終製品であるキッチンペーパー製品Ｘ１の径と同径でありかつ幅が最終製品の複数個分ある中間製品である。
【００３７】
このログ５０の製造は、連続的に又は段階的に、長尺紙管１０と実質的に同幅のキッチンペーパー原紙２Ａ，２Ａを、ジャンボロール２Ｒ，２Ｒから繰り出すとともに巻き付けてログ５０を形成する。この巻き付けは、既知のワインダー装置５１が利用できる。なお、図示例は、二つのジャンボロール２Ｒ，２Ｒからキッチンペーパー原紙２Ａ，２Ａを繰り出して、巻き取り工程の前においてプライボンディング装置或いはエンボス付与後に貼合する装置５２を用いた既知の技術によって２プライ構造となるようにしている。
【００３８】
なお、図示の形態では、２つのジャンボロール２Ｒからキッチンペーパー原紙２Ａを繰り出し、積層構造とした２プライ構造の積層キッチンペーパー原紙としているが、本発明においては、かかる２プライに限定されず、１プライ若しくは３プライ以上であってもよい。さらには、複数プライ構造とする場合には、各原紙の坪量や物性等は同じである必要はない。
【００３９】
次いで、このようにログ５０を製造したならば、このログ５０を既知のログアキュムレーター６０で複数本とストックしつつ後段のログカッター７０へと移動させる。そして、その後に図１中（Ｃ）に示すように、既知のログカッター７０でログ１１を製品幅に裁断する。このとき、本発明では、上記長尺紙管の幅方向に配列された認識情報Ｐが、異なる記号毎に分断されるようにログカッター７０にて所定幅に裁断してロールペーパーＸ１とする。かくして、本発明にかかるロールペーパーＸ１が製造される。
【符号の説明】
【００４０】
Ｘ１…キッチンペーパー製品、１…紙管、１Ａ…長尺紙管、２…キッチンペーパー、２Ａ…キッチンペーパー原紙、２Ｒ…ジャンボロール、Ｌ１…紙管の外直径、Ｌ２…紙管の幅、２１…ミシン目線、１１…筒内面を構成する紙管原紙、１２…筒外面を構成する紙管原紙、１１Ａ，１２Ａ…原反ロール、１３…紙管接着剤、１４…廃油硬化剤、Ｌ３…ミシン目線の間隔、３０…接着剤付与手段、４０…コアワインダー、４１…シャフト、４２…スリッター、５０…ログ、５１…ワインダー装置、５２…プライマシン、６０…ログアキュムレーター、７０…ログカッター。
【図１】
0005635290.tif 000002
【図２】
0005635290.tif 000003
【図３】
0005635290.tif 000004
【図４】
0005635290.tif 000005
【図５】
0005635290.tif 000006
【図６】
0005635290.tif 000007
【図７】
0005635290.tif 000008
【図８】
0005635290.tif 000009